(57)【要約】  【課題】  効率よく視力回復訓練を行うことができる携帯型視力回復訓練装置を提供する。  【解決手段】  視力訓練用画像を表示する表示手段１３と、表示手段１３に表示される視力訓練用画像の表示サイズを変化させる表示制御手段１４と、視力訓練用画像の表示サイズが変化するタイミングを示すタイミング情報を出力する出力手段１５とを備え、表示手段１３の表示部を目に接近させたり離間させたりして目の結像調節機能の訓練を行う。【選択図】  図２
2007021086.tif 000002
【特許請求の範囲】
【請求項１】
目の結像調節機能の訓練を行う携帯型視力回復訓練装置であって、
視力訓練用画像を表示する表示手段と、
前記表示手段に表示される前記視力訓練用画像の表示サイズを変化させる表示制御手段と、
前記視力訓練用画像の表示サイズが変化するタイミングを示すタイミング情報を出力する出力手段と、
を備える携帯型視力回復訓練装置。
【請求項２】
請求項１記載の携帯型視力回復訓練装置であって、
前記出力手段は、前記タイミング情報を音声により出力する携帯型視力回復訓練装置。
【請求項３】
請求項１記載の携帯型視力回復訓練装置であって、
前記出力手段は、前記タイミング情報を光により出力する携帯型視力回復訓練装置。
【請求項４】
請求項１記載の携帯型視力回復訓練装置であって、
前記出力手段は、前記タイミング情報を表示により出力する携帯型視力回復訓練装置。
【請求項５】
請求項１ないし４のいずれか記載の携帯型視力回復訓練装置であって、
前記表示制御手段は、前記視力訓練用画像が、前記表示手段と訓練者の目との光学距離に応じて、前記訓練者の網膜上に一定のサイズで投影されるように前記視力訓練用画像の表示サイズを変化させる携帯型視力回復訓練装置。
【発明の詳細な説明】
【技術分野】
【０００１】
本発明は、目の結像調節機能の訓練を行う携帯型視力回復訓練装置に関するものである。
【背景技術】
【０００２】
視力の低下は、目の調節筋（毛様体筋）の調節緊張や衰弱によって目の結像調節機能が低下することが一因と考えられ、この筋肉を訓練することによって、視力の回復を期待することができる。この方法は、毛様体筋を訓練によって活性化し、遠近調節機能を活発にすることで、視力の回復を図るものである。
【０００３】
そこで、調節筋の働きを活発にすることにより視力回復効果を向上させようとする視力回復装置が提案されている（例えば特許文献１参照）。この視力回復装置は、マークが表示された注視板を往復移動させて、マークを使用者（訓練者）に対して近接・離間させるものである。この装置の使用者がこのマークを注視すると、目の焦点が近距離と遠距離の間を連続して移動するので、調節筋が効率よく訓練される。さらに、マークの位置が遠点から近点の間で網膜上に投影されるサイズが常に一定になるようにマークのサイズが制御されるため、訓練者がより訓練に集中しやすい。しかし、上記視力回復装置は、注視板を往復駆動するため、装置が大型化する。
【０００４】
そこで、携帯電話の電子的表示手段にマークを表示させ、使用者が、携帯電話を手に持ち、マークに焦点を合わせながら、腕を曲げ伸ばしすることにより、視力回復訓練を行う携帯型視力回復訓練装置が提案されている。この携帯型視力回復訓練装置は、使用者との距離に応じて、表示するマークのサイズを変化させるものである。この携帯型視力回復訓練装置によれば、装置を小型化でき、手軽に訓練を行うことができる。
【０００５】
【特許文献１】国際公開第２００４／０６６９００号パンフレット
【発明の開示】
【発明が解決しようとする課題】
【０００６】
上記のような携帯型視力回復装置においては、訓練者が周期的に腕を曲げ伸ばしすることにより効率的に訓練を行うことができる。しかしながら、実際には、腕を曲げたり伸ばしたりするタイミングは訓練者によって異なるため、効率よく視力回復訓練を行うことができない場合がある。
【０００７】
本発明は、上記事情に鑑みてなされたものであって、効率よく視力回復訓練を行うことができる携帯型視力回復訓練装置を提供することを目的とする。
【課題を解決するための手段】
【０００８】
本発明の携帯型視力回復訓練装置は、目の結像調節機能の訓練を行う携帯型視力回復訓練装置であって、視力訓練用画像を表示する表示手段と、前記表示手段に表示される前記視力訓練用画像の表示サイズを変化させる表示制御手段と、前記視力訓練用画像の表示サイズが変化するタイミングを示すタイミング情報を出力する出力手段と、を備える。
【０００９】
上記構成によれば、訓練者が、携帯型視力回復訓練装置の表示部を目に近接させたり離間させたりして目の結像調節機能の訓練を行う際、視力訓練用画像の表示サイズが変化するタイミングを示すタイミング情報を出力することにより、訓練者は、出力に合わせて携帯型視力回復訓練装置を移動させるだけで、容易に、視力訓練用画像の表示サイズの変化と、表示部と目との光学距離の変化とを同期させることができるため、効率良く視力回復訓練を行うことができる。
【００１０】
また、本発明の携帯型視力回復訓練装置は、前記出力手段が、前記タイミング情報を音声により出力するものである。
【００１１】
上記構成によれば、訓練を中断することなく、同期をとることが可能となる。
【００１２】
また、本発明の携帯型視力回復訓練装置は、前記出力手段が、前記タイミング情報を光により出力するものである。
【００１３】
上記構成によれば、騒音のある環境下で同期をとることが可能となる。
【００１４】
また、本発明の携帯型視力回復訓練装置は、前記出力手段が、前記タイミング情報を表示により出力するものである。
【００１５】
上記構成によれば、騒音などのある環境下でも同期をとることが可能となる。
【００１６】
さらに、本発明の携帯型視力回復訓練装置は、前記表示制御手段が、前記視力訓練用画像が、前記表示手段と訓練者の目との光学距離に応じて、前記訓練者の網膜上に一定のサイズで投影されるように前記視力訓練用画像の表示サイズを変化させるものである。
【００１７】
上記構成によれば、網膜上に結像する図形の大きさが一定となるので、調節筋を効率よく訓練できる。
【発明の効果】
【００１８】
本発明によれば、訓練者が、携帯型視力回復訓練装置の表示部を目に近接させたり離間させたりして目の結像調節機能の訓練を行う際、視力訓練用画像の表示サイズが変化するタイミングを示すタイミング情報を出力することにより、訓練者は、出力に合わせて携帯型視力回復訓練装置を移動させるだけで、容易に、視力訓練用画像の表示サイズの変化と、表示部と目との光学距離の変化とを同期させることができるため、効率良く視力回復訓練を行うことができる。
【発明を実施するための最良の形態】
【００１９】
以下、本発明の実施の形態について、図面を用いて説明する。
【００２０】
図１は本発明の実施の形態の携帯型視力回復訓練装置の概略構成を示す図である。ここでは、携帯型視力回復訓練装置を携帯電話１に適用した場合を示し、携帯電話１に備えられている液晶表示装置等の電子的表示手段に視力訓練用画像が表示されるように構成されている。２は携帯電話１に備えられているスピーカー、３は訓練者（使用者）である。
【００２１】
図２は上記の携帯型視力回復訓練装置の制御系の概略構成を示すブロック図である。同図に示す制御装置は、携帯型視力回復訓練装置全体の動作を制御する主制御部１１と、操作部１２と、上述の視力訓練用画像を表示する表示手段１３と、表示手段１３に表示される視力訓練用画像の表示サイズを変化させる表示制御手段１４と、その表示サイズが変化するタイミング情報を出力する出力手段１５とを備え、出力手段１５は、音声合成部１６と上述のスピーカー２から構成されている。
【００２２】
図３は携帯電話１の表示手段１３に表示される視力訓練用画像の一例を示す図である。同図の（ａ）は訓練者３の目４に対して携帯電話１の表示部が近いときに表示される図形でサイズは小さく、（ｂ）は遠いときに表示される図形でサイズは大きくなっている
【００２３】
上記の携帯電話１の表示手段１３に表示される視力訓練用画像（図形）は、一定の周期でそのサイズが大→小→大のように変化する。携帯電話１に備えられているスピーカー２からは、その表示画像が一番大きくなったときと一番小さくなったときに、例えば「ぴっ」という音が発せられる。訓練者３は、携帯電話１を手に持って腕を曲げたり伸ばしたりしながらその表示画面に表示された視力訓練用画像を注視する。このとき、訓練者３は携帯電話１のスピーカー２から発せられる音に合わせて腕を曲げ伸ばしをすればよいので、携帯電話１に表示される視力訓練用画像のサイズの変化に同期して、携帯電話１と訓練者３の距離を変化させることができる。
【００２４】
すなわち、訓練者３が携帯電話１の表示部を目４に接近させたり離間させたりして目４の結像調節機能の訓練を行う際、視力訓練用画像の表示サイズが変化するタイミングを示すタイミング情報を出力することにより、訓練者３は、容易に視力訓練用画像の表示サイズの変化と、視力訓練用画像と目４との光学距離の変化とを同期させることができ、効率よく視力回復訓練を行うことができる。
【００２５】
その際、手の長さは個体差があるので、腕を曲げ伸ばしたときの携帯電話１と目４との間の距離を事前に測定しておき、携帯電話１が近いときと遠いときとで訓練者３の目４の網膜上に投影されるサイズが同じサイズとなるように、携帯電話１に表示される視力訓練用画像のサイズを事前に設定しておくことが望ましい。
【００２６】
上記の訓練者３の目４の位置と携帯電話１の表示部の視力訓練用画像との光学距離は、訓練者３の腕の曲げ伸ばしによって変更することができる。本実施の形態では、訓練者３の目４の位置と視力訓練用画像を表示する表示部の位置との光学距離に応じて、視力訓練用画像が訓練者３の目４の網膜上に一定のサイズで投影されるように、視力訓練用画像の表示サイズを変化させることができる。また、訓練者３の目４の位置と携帯電話１の表示部の位置との光学距離に比例して、視力訓練用画像の表示サイズを変化させることができる。
【００２７】
ここで、上記の視力訓練用画像の表示サイズは、予め定めた時間間隔で周期的に変化させることができる。また、視力訓練用画像の表示サイズが小さくなるタイミング（訓練者３が携帯電話１の移動方向を目４の位置に近づける方向に変化させるタイミング）を示すタイミング情報と、視力訓練用画像の表示サイズが大きくなるタイミング（訓練者３が携帯電話１の移動方向を目４の位置から遠ざける方向に変化させるタイミング）を示すタイミング情報とは、異なる音、異なる光、あるいは異なる表示により出力させることができる。
【００２８】
音（音声を含む）により出力する場合には、訓練を中断することなく、同期をとることが可能となる。光により出力する場合には、騒音などのある環境下でも同期をとることが可能となる。また、表示により出力する場合には、視力訓練用画像を目４に合わせやすくなる。
【００２９】
なお、上記の実施の形態では、携帯電話１を用いて説明を行ったが、ＰＤＡ等の携帯情報端末を用いても同様の効果を得ることができる。また、同期をとるためには音の他に、表示画面を一瞬フラッシュさせたり、背景の色を変化させることもでき、同様の効果を得ることができる。
【産業上の利用可能性】
【００３０】
本発明の携帯型視力回復訓練装置は、訓練者が、携帯型視力回復訓練装置の表示部を目に近接させたり離間させたりして目の結像調節機能の訓練を行う際、視力訓練用画像の表示サイズが変化するタイミングを示すタイミング情報を出力することにより、訓練者は、出力に合わせて携帯型視力回復訓練装置を移動させるだけで、容易に、視力訓練用画像の表示サイズの変化と、表示部と目との光学距離の変化とを同期させることができるため、効率良く視力回復訓練を行うことができる効果を有し、目の結像調節機能の訓練を行う携帯型視力回復訓練装置等に有用である。
【図面の簡単な説明】
【００３１】
【図１】本発明の実施の形態の携帯型視力回復訓練装置の概略構成を示す図
【図２】本発明の実施の形態の携帯型視力回復訓練装置の制御系の概略構成を示すブロック図
【図３】携帯電話の表示手段に表示される視力訓練用画像の一例を示す図
【符号の説明】
【００３２】
１  携帯電話
２  スピーカー
３  訓練者
４  目
１１  主制御部
１２  操作部
１３  表示手段
１４  表示制御手段
１５  出力手段
１６  音声合成部
【図１】
2007021086.tif 000003
【図２】
2007021086.tif 000004
【図３】
2007021086.tif 000005